(57)【特許請求の範囲】
【請求項１】
洗浄槽に投入された粉粒状の処理対象物を上下に脈動する洗浄水で洗浄しながら、粗大重量物を有孔搬送面で受け止めて槽外に搬出するコンベア装置を備え、
沈降速度差によって処理対象物を微粒物と微粒物より粒径が大きい中粒物とに分離し、前記有孔搬送面を通り抜けて前記洗浄槽に沈降した中粒物を槽外に搬出するように構成された湿式選別装置であって、
前記コンベア装置の搬送面の移動に伴い、前記洗浄槽の外部で前記有孔搬送面を清掃する清掃機構を設け、
前記清掃機構は、鋼線を備えたブラシで構成され、前記有孔搬送面の移動に伴なって前記有孔搬送面の裏面に上方から摺動するように配置され、孔部に詰まった除去対象物が前記有孔搬送面側から下方に落下除去されるように構成されている湿式選別装置。
【発明の詳細な説明】
【技術分野】
【０００１】
本発明は、粗大物等が混入した粉粒状の処理対象物を洗浄して該処理対象物に混入する障害物質を除去する湿式選別装置に関する。
【背景技術】
【０００２】
金属類、ガラ類（石やガラス片等）さらには有機質材（ゴム、プラスチック、紙、繊維、木片等）といった粗大物が混入した灰や土壌等の粉粒体を資源化して再利用する場合、粗大物を分離除去するとともに資源化に障害となる様々な水溶性成分や重金属等の障害物質を除去する必要がある。
【０００３】
例えば、一般に都市ゴミ焼却施設等で発生した焼却灰等の焼却残渣をセメント原料として再利用する場合には、焼却残渣から金属類、ガラ類、有機質材等の粗大物を分離除去するとともに、焼却灰に付着した塩分等を除去する必要がある。
【０００４】
また、雑多な廃棄物が不法投棄された汚染土壌を浄化して再利用する場合には、土壌を掘削して金属類、ガラ類、有機質材等の粗大物を分離除去するとともに、土砂に付着した重金属等の有害成分を除去する必要がある。
【０００５】
従来からこのような処理対象物に対しては、磁選機や振動篩で粗大物を除去した後に、粉粒体を水で洗浄する方法が採用されていたが、処理対象物の含水量が多いと金属類に粉粒体が付着するために磁選機で良好に選別できず、振動篩の篩目が有機質材で閉塞されるために頻繁にメンテナンスが必要になるといった問題があり、また、選別された粗大物に付着した粉粒体を別工程で洗浄しなければならず、設備が増えるばかりか、洗浄のための水量が増し、洗浄装置の後段に大型の排水処理設備を設置しなければならないという問題があった。
【０００６】
そこで、特許文献１には、都市ごみ焼却灰中からステンレス等の異物と、含まれる塩素分とを同時に除去することを目的として、水槽内の水中に保持された都市ごみ焼却灰を上下に躍動させて、この都市ごみ焼却灰中の塩素分を水洗すると同時に、比重の差を利用した比重選別により、この都市ごみ焼却灰のうち、比較的比重の小さい灰成分を分離する一方、比較的比重の大きな金属類成分を除去する都市ごみ焼却灰の塩素及び金属類等の除去方法が提案されている。
【０００７】
また、特許文献２には、焼却灰から粗粒子と微粒子を速やかに分離し、微粒子には充分に時間と適当な攪拌を与えて脱塩作用を完結させる灰の洗浄処理方法として、２段以上の複数の機械式湿式分級機を直列に設置し、前段の分級機に焼却灰を入れ後段の分級機に洗浄水を加えて洗浄脱水作用と粒子分級作用をしながら、焼却灰は前段から後段へ水は後段から前段へ向流的に接触移動させ、粗粒の焼却灰は後段から系外に取り出し、微粒の焼却灰を含んだ洗浄液は前段から取り出し、その後、洗浄液と微粒とを分離させ脱塩された焼却灰と含塩洗浄液を得る灰の洗浄処理方法が提案されている。
【特許文献１】特開平１１−９０４０８号公報
【特許文献２】特開２００３−８０１９９号公報
【発明の開示】
【発明が解決しようとする課題】
【０００８】
しかし、特許文献１に記載されたような比重選別方法では、焼却灰に混入された灰よりも比重の小さな雑多な浮遊物を分離除去することできないという問題があり、また、特許文献２に記載されているように、様々な粒径分布を有する焼却灰や土壌では、粒径によって塩類や重金属等の障害物質の汚染濃度が異なるため、同一の水槽内で均一に洗浄するのは極めて困難である。
【０００９】
粉粒状の処理対象物に混入する障害物質の含有量は、粒径が小さいほど多いという傾向があり、粒径の小さなものと大きなものとを分離して洗浄した方が効率的なためである。
【００１０】
一方、特許文献２に記載された洗浄処理方法では、事前に焼却灰から粗大物を分離除去する必要があり、上述した従来の問題点が解消されるものではない。
【００１１】
本発明は上述した問題点に鑑み、設備を簡素化して洗浄水量を低減しながらも、粗大物等が混入した粉粒状の処理対象物から粗大物等を分離除去し、同時に粉粒体を分級して、水溶性成分や重金属等の障害物質を効率的に除去することができる湿式選別装置を提供することを目的とする。
【課題を解決するための手段】
【００１２】
上述の目的を達成するため、本発明による湿式選別装置の特徴構成は、特許請求の範囲の書類の請求項１に記載した通り、洗浄槽に投入された粉粒状の処理対象物を上下に脈動する洗浄水で洗浄しながら、粗大重量物を有孔搬送面で受け止めて槽外に搬出するコンベア装置を備え、沈降速度差によって処理対象物を微粒物と微粒物より粒径が大きい中粒物とに分離し、前記有孔搬送面を通り抜けて前記洗浄槽に沈降した中粒物を槽外に搬出するように構成された湿式選別装置であって、前記コンベア装置の搬送面の移動に伴い、前記洗浄槽の外部で前記有孔搬送面を清掃する清掃機構を設け、前記清掃機構は、鋼線を備えたブラシで構成され、前記有孔搬送面の移動に伴なって前記有孔搬送面の裏面に上方から摺動するように配置され、孔部に詰まった除去対象物が前記有孔搬送面側から下方に落下除去されるように構成されている点にある。
【００１３】
洗浄槽の一方の開口部に粉粒状の処理対象物が投入されると、脈動発生装置により洗浄水が上下に脈動する中で、粗大物に付着した粉粒体が除去されて、粗大物のうち比重が大きな重量物が沈降するとともに、比重が小さな軽量物が水面に浮上する。沈降した重量物はコンベア装置の有孔搬送面で受止められて当該コンベア装置により槽外に搬出される。粉粒体は脈動する洗浄水で洗浄されながら解され、洗浄水の中を沈降していく。このとき、粒径が大きな粉粒体は粒径が小さな粉粒体より沈降速度が速いため、水面付近で浮遊する粒径が小さな粉粒体と、比較的早期に沈降する粒径が大きな粉粒体との二層に分離される。そのため、粒径が小さな粉粒体は洗浄水とともに槽外に流出され、粒径が大きな粉粒体はコンベア装置の有孔搬送面を通過して沈降する。その後、洗浄槽に沈降した粒径が大きな粉粒体は洗浄槽の外部に搬出される。
【００１４】
洗浄槽から重量物を搬出するコンベア装置の有孔搬送面に金属やガラ類が挟まると、粒径の大きな粉粒体が有孔搬送面を抜けて沈降することが妨げられるようになる。そこで、清掃機構により洗浄槽の外部で搬送面を清掃することにより、金属やガラ類を効率よく除去することができるようになり、長期に亘り安定して湿式選別装置を稼動させることができるようになる。このとき、コンベア装置の有孔搬送面の移動に伴なって有孔搬送面の裏面に上方からブラシが摺動することにより、有孔搬送面に詰った金属類等が前記有孔搬送面側から下方に極めて容易に落下除去されるようになる。
【００１５】
従って、粗大物の洗浄及び分離を効率的に行なうことができ、しかも、同時に処理対象物である粉粒体をも洗浄しながら分級できるようになる。
【発明の効果】
【００１６】
以上説明した通り、本発明によれば、設備を簡素化して洗浄水量を低減しながらも、粗大物等が混入した粉粒状の処理対象物から粗大物等を分離除去し、同時に粉粒体を分級して、水溶性成分や重金属等の障害物質を効率的に除去することができる湿式選別装置を提供することができるようになった。
【発明を実施するための最良の形態】
【００１７】
以下に、本発明による湿式選別装置が粉粒体処理システム１に適用される例を図面に基づいて説明する。ここでは、湿式選別装置により、金属類、ガラ類（石やガラス片等）さらには有機質材（ゴム、プラスチック、紙、繊維、木片等）といった粗大物が混入した粒径２００ｍｍ以下の焼却灰を洗浄選別する場合を説明する。
【００１８】
焼却灰はその粒径により塩素含有量が異なり、粒径が小さいほど塩素含有量が多い。本粉粒体処理システムでは、塩素含有量に基づいて粒径２ｍｍ以上の粗粒物（以下、「粗粒灰」とも記す。）と、粒径０．１５ｍｍ〜２ｍｍの細粒物（以下、「細粒灰」とも記す。）と、０．１５ｍｍより小径の微粒物（以下、「微粒灰」とも記す。）に分級し、夫々において洗浄条件を変えることで効率的に脱塩素処理が行なわれる。
【００１９】
図７に示すように、粉粒体処理システム１は、処理対象物を洗浄しながら粗大物と粉粒体とに選別するとともに粉粒体を微粒物と微粒物より粒径が大きい中粒物（粗粒灰及び細粒灰）に分級する湿式選別装置２と、湿式選別装置２で分級された微粒物を再洗浄する第一の再洗浄手段４と、湿式選別装置２で分級された中粒物を再洗浄する第二の再洗浄手段６を備えている。
【００２０】
さらに、第一の再洗浄手段４から排出された洗浄排水を前記湿式選別装置２へ返送する第一の循環経路８と、第二の再洗浄手段６から排出された洗浄排水を第二の再洗浄手段へ返送する第二の循環経路９を備え、それぞれの循環経路を介して返送された洗浄排水を洗浄水として再利用するように構成されている。
【００２１】
図１から図３に示すように、湿式選別装置２は、洗浄水が充填された側面視Ｕ字管形状の洗浄槽２０と、洗浄槽２０の一方の開口部２０ａに処理対象物を投入する投入部としての振動式のフィーダ２４と、洗浄槽２０の他方の開口部２０ｂから洗浄水を脈動させる脈動発生装置３０と、フィーダ２４で投入された粉粒状の処理対象物に含まれる粗大物を洗浄槽２０内で洗浄して、粗大物のうち重量物を分離搬出するコンベア装置２２と、洗浄槽２０の上層の洗浄水を粗大物のうち軽量物とともに重量物の搬出方向と対向する方向に排水する排水部としての溢流堰２６と、洗浄槽２０の底部２０ｄに沈降した処理対象物を洗浄槽２０の外部に搬出する複数のバケット２９ａを有するコンベア装置２９等を備えている。
【００２２】
コンベア装置２２は、駆動側プーリ２２ａ及び従動側プーリ２２ｂに網目状の孔部を備えた搬送面を備えた無端状のコンベアベルト２２ｃが巻き付けられ、コンベアベルト２２ｃの一部が洗浄槽２０の一方の開口部２０ａの一端側から他端側にかけて浸漬するように配置されている。
【００２３】
洗浄槽２０の一方の開口部２０ａは、正面視で他方の開口部２０ｂよりも横方向に延出形成され、その上部にはコンベアベルト２２ｃの移動方向（図１中、右から左への方向）とは逆方向に向けて水流を形成する給水ノズル２３ａ、２３ｂ、２３ｃ、２３ｄが配置されている。
【００２４】
尚、洗浄槽２０の形状は、側面視Ｕ字管形状に限らず、側面視Ｖ字管形状となるように構成してもよい。また、一方の開口部２０ａと他方の開口部２０ｂの横方向の長さが等しい形状に構成してもよい。さらに、図３に示すように、処理対象物が沈降する底部２０ｄが、側面視Ｕ字管形状の洗浄槽２０から鉛直壁で下方に延出形成されるものに限らず、図３に破線で示すように、上方ほど幅広となる傾斜壁で下方に延出形成されるものであってもよい。
【００２５】
また、洗浄槽２０の形状はＵ字管形状に構成されるものに限らず、上部が二つに分岐し下部が連結された管形状であれば、Ｖ字管形状やＹ字管形状であってもよい。
【００２６】
給水ノズル２３ａ、２３ｂ、２３ｃ、２３ｄからの噴射水により形成される水流の下流側には、上層の洗浄水を排水する溢流堰２６が設けられ、その上方には、処理対象物を搬送するベルトコンベア装置３６と、ベルトコンベア装置３６によって搬送された処理対象物を洗浄槽２０に投入する振動式のフィーダ２４が配置されている。
【００２７】
さらに、洗浄槽２０は、コンベアベルト２２ｃの延出方向に沿って、側面視Ｕ字状の隔壁２０ｃにより三領域に分割され、一方の開口部２０ａ側に延出した隔壁２０ｃの上縁より上方の水面近傍で処理対象物が分離される分離領域が形成されている。
【００２８】
脈動発生装置３０は、洗浄槽２０の他方の開口部２０ｂに設置され、隔壁２０ｃで仕切られた三領域の夫々に対応して配置された、ベローズ３７、ロッド３２、プランジャ３１及びエキセントリックシーブ３３と、各エキセントリックシーブ３３の回転軸に連結された単一のモータ３４で構成されている。
【００２９】
モータ３４の回転数を制御するインバータ装置が設けられ、モータ３４の回転に伴なってエキセントリックシーブ３３が回転し、ロッド３２を介してプランジャ３１が上下動する。プランジャ３１の上下動に伴なってベローズ３７が伸縮作動することにより、洗浄槽２１の一方の開口部２０ａの水面が上下方向に脈動する。
【００３０】
尚、脈動発生装置３０に、上下動するプランジャ３１のストローク長を調整するストローク長調整機構（図示せず）を備えることにより、脈動する液面の高さを変更することができ、後述の比重分離及び沈降速度による粉流体の分離の精度が調整可能になる。
【００３１】
ストローク長調整機構は、プランジャ３１の取付け位置を上下方向に調整する機構、ロッド３２の長さを調整する機構、またはロッド３２のエキセントリックシーブ３３への取付け位置をエキセントリックシーブ３３の径方向に調整する機構の何れかまたはそれらを組合せることにより実現できる。
【００３２】
三領域に対応して設けられた三つのエキセントリックシーブ３３は、夫々に異なる偏心位置で回転軸３５が取付けられ、夫々の領域で位相が異なる脈動が付与される。
【００３３】
フィーダ２４から洗浄水槽２０に投入された処理対象物は、洗浄水の上下方向の脈動により分離領域で分散され、洗浄されながら比重分離される。
【００３４】
灰に混入した粗大物のうち比重の大きな金属類、ガラ類（石やガラス片等）は、付着した灰が洗浄水によって除去されながら分離領域で沈降し、コンベアベルト２２ｃによって粗大物搬出口２５から搬出され、比重の小さな有機質材（ゴム、プラスチック、紙、繊維、木片等）は、水面に浮上して給水ノズル２３ａ、２３ｂ、２３ｃ、２３ｄからの噴射水による水流に従って溢流堰２６から搬出される。尚、溢流堰２６からの排水は排水樋２７を介して水切りスクリーン２８に導かれる。
【００３５】
即ち、湿式選別装置２では、処理対象物に混入した粗大物が、比重の大きい粗大物と比重の小さい粗大物に選別される選別工程が実行される。
【００３６】
また、図４に示すように、洗浄槽２０に投入された焼却灰は、分離領域で洗浄水の上下方向の脈動により分散され、沈降速度が大きく上方向の脈流に抗して沈降する中粒物（粗粒灰と細粒灰）Ａが水槽内に沈降し、沈降速度の小さい微粒灰Ｂが給水ノズル２３ａ、２３ｂ、２３ｃ、２３ｄによる水流に従って洗浄水中を浮遊して溢流堰２６から排水樋２７に流出する。
【００３７】
即ち、湿式選別装置２では、洗浄槽２０内での沈降速度差によって微粒物と微粒物より粒径が大きい中粒物とに分離され、微粒物が上層の洗浄水とともに溢流堰２６から搬出され、中粒物が洗浄槽２０に沈降する分級工程が実行される。
【００３８】
このような比重選別工程及び分級工程の過程で、粗大物や粉粒体に付着した塩分等の障害物質が洗浄除去される。
【００３９】
図１、図２及び図４に示すように、フィーダ２４と溢流堰２６との間に、洗浄液を噴射供給する給水ノズル２３ｅが配置され、フィーダ２４から投入された焼却灰が沈降速度差により二層に分離するまでの間に、溢流堰２６に向けて流れる焼却灰に向けて給水ノズル２３ｅから洗浄水を噴射供給するように構成されている。
【００４０】
例えば、粒径が大きな灰であっても半乾きの状態で投入されると十分に沈降せずに溢流堰から流出する虞があるが、給水ノズル２３ｅから焼却灰に洗浄液を噴射供給することにより、粒径が大きな中粒物を速やかに沈降させることができる。また、中粒物と微粒物が団子状に固まった焼却灰であっても、給水ノズル２３ｅから噴射供給される洗浄水により速やかに解され、沈降速度による分離が促される。
【００４１】
従って、フィーダ２４と溢流堰２６との距離をより短く設定することができ、装置をより小型化することができるようになる。
【００４２】
排水樋２７に流出した溢流水は、水切りスクリーン２８によって有機質材が除去された後に微粒灰とともに第一の再洗浄装置４（図７参照）に送られる。この時、水切りスクリーン２８部では、洗浄水を噴霧して有機質材を洗浄してもよい。
【００４３】
図３及び図６に示すように、洗浄槽２０の底部２０ｄに沈降した中粒物は、底部に複数の小径の開口２９ｂが形成された複数のバケット２９ａが無限軌道に沿って並設されたバケットコンベア機構２９によって水切りされながら槽外に搬出され、第二の再洗浄手段６（図７参照）によってさらに洗浄処理される。
【００４４】
搬送中にバケット２９ａで掻き揚げられた中粒物と洗浄水のうち、主に洗浄水が開口２９ｂから流出することにより、洗浄水由来の塩素の含有量を低減させた中粒物を次工程に供給することができる。
【００４５】
孔径３ｍｍから５ｍｍの範囲で、底面の開孔率１５％から２５％の範囲で開口２９ｂを形成すると、搬出される中粒物の含水率が５０％程度となり、良好な水切り特性が得られる。
【００４６】
例えば、開口２９ｂが３ｍｍの角孔で底面の開孔率２５％となるように形成された織網でバケット２９ａの底部を構成すると、中粒物の含水率が５２％となり、開口２９ｂがφ３ｍｍの丸孔で底面の開孔率１７％となるように形成された打ち抜き板でバケット２９ａの底部を構成すると、中粒物の含水率が約５０％と良好な水切り特性が得られる。尚、開口２９ｂが１ｍｍの角孔で底面の開孔率２２％となるように形成された織網でバケット２９ａの底部を構成すると、バケット２９ａの中粒物に水溜りが形成され、水抜きができない。
【００４７】
さらに、図６（ｂ）に示すように、バケット式のコンベア装置２９には、水切り後の中粒物にリンス水を噴射供給する給水ノズル２９ｃを備え、中粒物の間隙に残存する塩素の濃度が高い洗浄水をリンス水で置換するように構成されている。尚、リンス水は、第二循環経路９を経由した洗浄排水が好適に用いられるが、新規水が用いられるものであってもよい。
【００４８】
つまり、洗浄槽２０の底部２０ｄに沈降した粒径の大きな中粒物がバケット２９ａによって掻き揚げられ槽外に搬出される過程で、障害物質の濃度が高い洗浄水が開孔から排水され、更に、水切り後の処理対象物に給水ノズル２９ｃからリンス水を噴射供給することにより、粉粒体に含まれる障害物質の濃度を大きく低減させることができる。
【００４９】
洗浄槽２０に充填された洗浄水の塩素イオン濃度または電気伝導度を計測するセンサを洗浄槽２０内に配置して、当該センサの検出値に基づいて、給水ノズル２９ｃから噴射供給するリンス水の水量を調整することが好ましい。塩素イオン濃度または電気伝導度が高いときには、リンス水の水量を増加して中粒物に含まれる塩素含有量の更なる低減を図ることができる。
【００５０】
溢流堰２６から流出する洗浄水は、第一の循環経路９（図７参照）を介して貯留槽１００に貯水され、その後、上述の給水ノズル２３ａ、２３ｂ、２３ｃ、２３ｄ、２３ｅ、及び、洗浄槽２０の底部近傍に配置された給水ノズル２０ｅを介して洗浄槽２０に循環される。
【００５１】
給水ノズル２０ｅからの洗浄水の噴射方向は、処理対象物が投入される一方の開口部２０ａに向けられている。流量調整可能なポンプを介して給水ノズル２０ｅにより上方に噴射供給された洗浄水は、槽内を沈降する粉粒体に対向する洗浄水の流れを形成し、団子状に固まって沈降する粉粒体が解され、障害物質の含有量が多い粒径の小さな粉粒体が、洗浄水の流れに沿って洗浄されながら上方に浮遊し、溢流堰２６から排出される。即ち、ポンプと給水ノズル２０ｅにより洗浄槽２０の内部から槽内上方に向けて洗浄水を供給する注水部が構成されている。
【００５２】
尚、第一の循環経路８から供給される再洗浄水を給水ノズル２３ａ、２３ｂ、２３ｃ、２３ｄ、２３ｅを介して供給するルートと、給水ノズル２０ｅを介して供給するルートの夫々のルートを介した再洗浄水の供給比率を調整することが好ましい。給水ノズル２０ｅから供給する比率を調整し、洗浄槽２０の上昇流の速度を調整することによって、粉粒体の沈降速度を制御して分級する粒径を設定することも可能となる。
【００５３】
コンベア装置２２のコンベアベルト２２ｃは、目幅が５から１５ｍｍの織網で構成され、洗浄槽２０内で、粗大物として沈降するボルト類、金属片、ガラス片等の不適物を受け止めるとともに、網目から中粒物を底部に向けて沈降するように通過させる。
【００５４】
例えば、目幅が１０ｍｍの角孔を開口率７０％となるように、線径２ｍｍの鋼線で構成した織網を好適に用いることができる。目幅が５ｍｍより小さくなると網目の閉塞により、粗大物と中粒物を分離できなくなり、１５ｍｍを超えると粗大物が網目を通り抜けることが多く、中粒物に対するその後の洗浄処理に不都合を来たす。
【００５５】
また、打ち抜き網では、強度を確保するために開口率が制限され、中粒物が網上に残存するため、排出された金属類に灰が再付着して、資源化が妨げられるという不都合がある。
【００５６】
図１、図３及び図５に示すように、洗浄槽２０内で粗大物を受け止め、粗大物搬出口２５で粗大物が離脱されたコンベアベルト２２ｃは、洗浄槽２０の外部に設けられた清掃機構２１により清掃され、網目に詰った金属類等が除去される。
【００５７】
清掃機構２１は、多数の細い鋼線が支持部に固定されたブラシで構成され、コンベアベルト２２ｃの移動に伴なってコンベアベルト２２ｃの裏面とブラシが摺動することにより、網目に詰った金属類等が落下除去される。
【００５８】
コンベアベルト２２ｃの下方にはホッパまたはシュート１１が設けられ、コンベアベルト２２ｃから自由落下した粗大物や、清掃機構２１により除去された粗大物が当該ホッパまたはシュート１１に落下し、その下部に配置された粗大物搬送用のコンベア装置１２により、粗大物搬出口２５で離脱した粗大物とともに、図７に示す金属回収部１０に搬送されて、金属回収部１０に備えた磁選機により金属とガラ類に分離して回収される。
【００５９】
また、図８に示すように、粗大物搬出口２５の上方であって、駆動側プーリ２２ａの下流側に清掃機構２１を設けることにより、網目に詰った金属類等を粗大物搬出口２５から落下させるように構成してもよい。
【００６０】
図７に示すように、水切りスクリーン２８を経た溢流水に含まれる微粒物を洗浄する第一の再洗浄手段４が設けられている。以下、詳述する。
【００６１】
水切りスクリーン２８を経た溢流水が必要に応じて設けた中継槽４０に蓄積され、攪拌ポンプにより濃度を均一に攪拌され、溢流水に含まれる微粒灰がポンプにより濃縮装置４２としてのシックナーに送られて濃縮される。尚、濃縮装置４２として、湿式サイクロン、ベルト濃縮機、遠心濃縮機等の公知の装置を用いることもできる。また、中継槽４０には硫酸バンド等の凝集剤、ｐＨ調整剤、キレート剤等の薬品４１を添加してもよい。
【００６２】
前記濃縮された微粒灰は、シックナーの底部から引き抜かれ、中継槽４３に送られて給水槽１０１から供給される新たな洗浄水で攪拌洗浄され、その後、脱水洗浄装置４４で脱水洗浄されセメント原料に供される。尚、中継槽４３を設けることなく、シックナーで濃縮された微粒灰を直接脱水洗浄装置４４へ送り、洗浄水を注入しながら脱水してもよい。このような脱水洗浄装置４４として、フィルタプレス、遠心分離脱水機、ベルト式脱水機等を用いることができる。洗浄水の供給量は、シックナーの上澄み液の塩分濃度に応じて調整され、塩分濃度が高ければ洗浄水の供給量が増加される。
【００６３】
尚、濃縮装置４２を設けず、微粒灰を中継槽４０から直接脱水洗浄装置４４へ送ってもよい。
【００６４】
脱水洗浄装置４４からの洗浄排水は中継槽４５に排水され、最終的に貯留槽４６に貯水される。
【００６５】
貯留槽４６には高さが異なる二枚の堰で三室に区分され、高い方の堰を溢れた排水が最終の貯留槽４７に貯水され、水処理装置で浄化処理された後に系外に排水される。
【００６６】
濃縮装置４２及び脱水洗浄装置４４によって分離され貯留槽４６に貯水された洗浄排水は，ポンプによって第一の循環経路８を介して貯留槽１００に返送され、貯留槽１００から給水ノズル２３ａ、２３ｂ、２３ｃ、２３ｄ、２３ｅ、２０ｅを介して洗浄槽２０に再供給されて再洗浄水として利用される。
【００６７】
また、濃縮装置４２によって分離された洗浄排水は、障害物質の濃度が高いので、優先的に系外へ排出するため、貯留槽４６を介さず貯留槽４７へ送り、洗浄水が不足した場合のみ貯留槽４６へ送り再洗浄水として利用する構成であってもよい。
【００６８】
微粒灰の塩分含有量は、中粒灰の塩分含有量よりも多く、第一の再洗浄手段４からの洗浄排水の塩分含有量は第二の再洗浄手段６の洗浄排水よりも高いため、第二の再洗浄手段６とは分離して湿式選別手段２へ返送するのである。
【００６９】
このようにして、湿式選別装置２及び第一の再洗浄手段４では、塩分濃度が高い洗浄排水で洗浄処理されるが、濃縮装置４２を経ることにより脱水洗浄装置４４に供給される新たな洗浄水（リンス水）の量は極めて僅かに抑えることができる。
【００７０】
第二の再洗浄手段６は、バケットコンベア機構２９によって槽外に搬出された中粒物を粗粒灰と細粒灰に分級する分級装置６１と、分級装置６１で分級された細粒物を再洗浄する洗浄装置６２を備えている。分級装置６１は湿式の振動篩装置で構成され、バケットコンベア機構２９からシュート６０を介して落下供給される。尚、分級装置６１として、スクリーン装置を用いることができる。
【００７１】
シュート６０及び分級装置６１には、第二の循環経路９を介して循環供給された塩分濃度が低い洗浄排水が噴霧供給されるとともに、分級装置６１の下流側では給水槽１０１から新たな洗浄水が噴霧供給され、分級された粗粒灰はそのまま水切りしてセメント原料として供される。粒径が大きな粗粒灰には付着塩類が僅かであるため、それほど洗浄する必要が無いのである。
【００７２】
洗浄装置６２は、分級装置６１を経た細粒物及び洗浄排水を貯留する中継槽６３と、中継槽６３で再度攪拌洗浄された細粒灰を固液分離する固液分離機６４としての湿式サイクロンと、湿式サイクロンで固液分離された細粒灰を洗浄する洗浄槽６５を備えている。
【００７３】
灰沈降槽で沈降した細粒灰は、灰掻揚げコンベア６６で搬出されながら給水槽１０１から供給される新たな洗浄水（リンス水）で濯がれて水切りされた後にセメント材料として供される。尚、洗浄槽６５の溢流水は中継槽６３に循環供給される。
【００７４】
湿式サイクロンで分離された洗浄排水は、洗浄水として上述したシュート６０及び分級装置６１に循環供給され、余剰の洗浄排水が貯留槽１００に貯水された後に、湿式選別装置２の洗浄水として供給される。湿式サイクロンで分離された洗浄排水には湿式選別装置２で十分に分離されなかった微粒灰が含まれており、このような微粒灰は第二循環経路９を経て、再度、湿式選別装置２で分級される。尚、固液分離機６４は湿式サイクロンに限られるものではなく、公知の脱水機、沈殿槽等により細粒灰と洗浄排水を分離する構成であってもよい。
【００７５】
第二の循環経路９は、洗浄槽６５からの洗浄排水を中継槽６３へ返送する循環経路９１と、固液分離機６４の排水を分級装置６１へ返送する循環経路９２を備えている。
【００７６】
つまり、本発明による粉粒体処理システムは、微粒物を再洗浄する第一の再洗浄手段と、中粒物を再洗浄する第二の再洗浄手段と、第一の再洗浄手段から排出された洗浄排水を湿式選別装置へ返送する第一の循環経路と、第二の再洗浄手段から排出された洗浄排水を第二の再洗浄手段へ返送する第二の循環経路を備え、それぞれの循環経路を介して返送された洗浄排水を洗浄水として再利用するように構成されている。
【００７７】
従って、設備を簡素化して洗浄水量を低減しながらも、処理対象物に混在する粗大物を洗浄分離除去し、洗浄排水の循環経路を二系統に分離することで、粉粒体から水溶性成分や重金属等の障害物質を効率的に除去することができるようになる。
【００７８】
本発明による湿式選別装置は、不法投棄された埋立土壌等、重金属類等により汚染された土壌であって、上述したような粗大物が混入した土壌の粉粒体を資源化して再利用する場合にも適用が可能である。この場合、本発明により土砂から重金属類の汚染物質が洗浄除去される。
【００７９】
以上説明した湿式選別装置の具体的構成は実施形態の記載に限定されるものではなく、本発明による作用効果を奏する範囲において適宜変更設計可能であることはいうまでもない。
【図面の簡単な説明】
【００８０】
【図１】本発明による湿式選別装置を正面から眺めた説明図
【図２】同湿式選別装置の平面図
【図３】同湿式選別装置を側面から眺めた要部説明図
【図４】同湿式選別装置の洗浄槽の要部説明図
【図５】同湿式選別装置の搬送装置の要部説明図
【図６】バケット式コンベア装置の要部説明図
【図７】粉粒体処理システムのブロック説明図
【図８】別実施形態を示し、同湿式選別装置の搬送装置の要部説明図
【符号の説明】
【００８１】
１：粉粒体処理システム
２：湿式選別装置
４：第一の再洗浄手段
６：第二の再洗浄手段
８：第一の循環経路
９：第二の循環経路
２０：洗浄槽
２２：コンベア装置
２２ａ：コンベアベルト
２３ａ、２３ｂ、２３ｃ、２３ｄ、２３ｅ、２９ｃ：給水ノズル
２４：フィーダ
２６：溢流堰
２９：バケット式のコンベア装置
３０：脈動発生装置
４０：中継槽
４２：濃縮装置（シックナー）
４３：中継槽
４４：脱水洗浄装置
４６，４７：貯留槽
６１：分級装置
６２：洗浄装置
６３：中継槽
６４：固液分離機（湿式サイクロン）
６５：洗浄槽
【図１】
0005292482.tif 000002
【図２】
0005292482.tif 000003
【図３】
0005292482.tif 000004
【図４】
0005292482.tif 000005
【図５】
0005292482.tif 000006
【図６】
0005292482.tif 000007
【図７】
0005292482.tif 000008
【図８】
0005292482.tif 000009